(57)【要約】【課題】  従来に比べて操作性を向上できる車両用カップホルダの提供。【解決手段】  収容部２１ａを備えるカップホルダ本体２０と、収容部２１ａに容器Ｃを収容するときに容器Ｃによって押されて動くサポート３０と、収容部２１ａに収容された容器Ｃの側面を保持するアーム４０と、サポート３０の動きをアーム４０に伝達するカム部材５０と、サポート３０をカップホルダ本体に対し収容部２１ａ内に突出する方向に付勢するサポート付勢スプリングと、アーム４０をカム部材５０に対し収容部２１ａ内に入り込む方向に付勢するアーム付勢スプリングと、カム部材５０をカップホルダ本体２０に対しサポート３０の移動軌跡内に入り込む方向に付勢するカム部材付勢スプリングと、を有する。【選択図】        図４
2006298287.tif 000002
【特許請求の範囲】
【請求項１】
収容部を備えるカップホルダ本体と、
前記収容部に容器を収容するときに該容器によって押されて動くサポートと、
前記収容部に収容された容器の側面を保持するアームと、
前記サポートの動きをアームに伝達するカム部材と、
を有する車両用カップホルダ。
【請求項２】
前記サポートを前記カップホルダ本体に対し前記収容部内に突出する方向に付勢するサポート付勢スプリングと、
前記アームを前記カム部材に対し前記収容部内に入り込む方向に付勢するアーム付勢スプリングと、
前記カム部材を前記カップホルダ本体に対し前記サポートの移動軌跡内に入り込む方向に付勢するカム部材付勢スプリングと、
を有する請求項１記載の車両用カップホルダ。
【請求項３】
前記サポートは、前記カップホルダ本体に、前記収容部に容器を出し入れする方向に回動可能に取付けられており、
前記アームは、前記カップホルダ本体または前記カム部材に、前記収容部に容器を出し入れする方向と直交する方向に回動可能に取付けられており、
前記カム部材は、前記カップホルダ本体に対して、前記収容部に容器を出し入れする方向と直交する方向に回動可能とされている、
請求項１記載の車両用カップホルダ。
【請求項４】
前記サポートは、前記収容部内に突出する突出位置と該突出位置から押し下げられた押し下げ位置とに可動であり、
前記カム部材は、前記サポートが前記突出位置と前記押し下げ位置との間の途中位置から前記押し下げ位置側にあるときのみ、前記サポートと接触して該サポートの動きを前記アームに伝達する、請求項１記載の車両用カップホルダ。
【発明の詳細な説明】
【技術分野】
【０００１】
本発明は、車両用カップホルダに関する。
【背景技術】
【０００２】
（ａ）特開平９−４８２７３号公報は、スプリングの力で収容部内に入り込んでいるアームと収容部側面との間に容器を挟んで支える車両用カップホルダを開示している。スプリングは、アームを収容部内側に（閉じる方向に）付勢している。
（ｂ）特開平８−２３８９６８号公報は、３、４段階に可動するアームと収容部側面との間に容器を挟んで支える（容器を入れた後、径に合わせてアームを閉じる）車両用カップホルダを開示している。
【０００３】
しかし、従来の車両用カップホルダには次の問題点がある。
（ａ）特開平９−４８２７３号公報
スプリングの力であらかじめ閉じているアームを容器や手で押し広げて容器を入れるため、径の大きい容器は入れにくい。
（ｂ）特開平８−２３８９６８号公報
容器を入れたあとアームを手で閉じる作業が煩わしい。
【特許文献１】特開平９−４８２７３号公報
【特許文献２】特開平８−２３８９６８号公報
【特許文献３】実開平１−５１５４０号公報
【発明の開示】
【発明が解決しようとする課題】
【０００４】
本発明が解決しようとする問題点は、操作性が悪いことである。
本発明の目的は、従来に比べて操作性を向上できる車両用カップホルダを提供することにある。
【課題を解決するための手段】
【０００５】
上記目的を達成する本発明はつぎの通りである。
（１）  収容部を備えるカップホルダ本体と、
前記収容部に容器を収容するときに該容器によって押されて動くサポートと、
前記収容部に収容された容器の側面を保持するアームと、
前記サポートの動きをアームに伝達するカム部材と、
を有する車両用カップホルダ。
（２）  前記サポートを前記カップホルダ本体に対し前記収容部内に突出する方向に付勢するサポート付勢スプリングと、
前記アームを前記カム部材に対し前記収容部内に入り込む方向に付勢するアーム付勢スプリングと、
前記カム部材を前記カップホルダ本体に対し前記サポートの移動軌跡内に入り込む方向に付勢するカム部材付勢スプリングと、
を有する（１）記載の車両用カップホルダ。
（３）  前記サポートは、前記カップホルダ本体に、前記収容部に容器を出し入れする方向に回動可能に取付けられており、
前記アームは、前記カップホルダ本体または前記カム部材に、前記収容部に容器を出し入れする方向と直交する方向に回動可能に取付けられており、
前記カム部材は、前記カップホルダ本体に対して、前記収容部に容器を出し入れする方向と直交する方向に回動可能とされている、
（１）記載の車両用カップホルダ。
（４）  前記サポートは、前記収容部内に突出する突出位置と該突出位置から押し下げられた押し下げ位置とに可動であり、
前記カム部材は、前記サポートが前記突出位置と前記押し下げ位置との間の途中位置から前記押し下げ位置側にあるときのみ、前記サポートと接触して該サポートの動きを前記アームに伝達する、（１）記載の車両用カップホルダ。
【発明の効果】
【０００６】
上記（１）〜（４）の車両用カップホルダでは、サポートの動きをアームに伝達するカム部材を有するので、サポートが容器により押されたときにアームが収容部内に入り込みアームで容器の側面を保持することができる。そのため、アームを容器や手で押し広げて容器を収容部に入れる必要はなく、操作性がよい。また、容器を収容部に入れた後にアームを手で閉じる作業が不要であり、操作性がよい。
上記（２）の車両用カップホルダでは、サポート付勢スプリングを有するので、収容部に容器が収容されていないときにサポートを収容部内に突出させることができる。そのため、収容部に収容する容器で確実にサポートを押すことができる。
また、アーム付勢スプリングを有するので、収容部に収容された容器の側面をアーム付勢スプリングの付勢力で保持することができる。そのため、３、４段階に可動するアームで容器を保持する場合（従来（ｂ）のカップホルダ）に比べて、様々な径の容器にアームを密着させることができる。
また、カム部材付勢スプリングを有するので、サポートが容器によって押されていないとき、カム部材をサポートの移動軌跡内に位置させることができる。
上記（４）の車両用カップホルダでは、カム部材が、サポートが途中位置から押し下げ位置側にあるときのみサポートの動きをアームに伝達する。そのため、カム部材は、突出位置にあるサポートが途中位置に押し下げられるまでは、サポートの動きをアームに伝達しない。そのため、容器を収容部に収容するときに容器がアーム部位を通過してからアームを収納部内に入り込ませることができる。
【発明を実施するための最良の形態】
【０００７】
本発明実施例の車両用カップホルダを、図１〜図５を参照して、説明する。
本発明実施例の車両用カップホルダ１０は、図２に示すように、収容部２１ａを備えるカップホルダ本体２０と、収容部２１ａに容器Ｃを収容するときに容器Ｃによって押されて収容部２１ａの底面２１ｃ側に動くサポート３０と、収容部２１ａに収容された容器Ｃの側面を保持するアーム４０と、サポート３０の動きをアーム４０に伝達するカム部材５０と、サポート３０をカップホルダ本体２０に対し収容部２１ａ内に突出する方向に付勢するサポート付勢スプリング６０と、アーム４０をカム部材５０に対し収容部２１ａ内に入り込む方向に付勢するアーム付勢スプリング７０と、カム部材５０をカップホルダ本体２０に対しサポート３０の移動軌跡内に入り込む方向に付勢するカム部材付勢スプリング８０と、を有する。
【０００８】
カップホルダ本体２０は、たとえば樹脂製である。カップホルダ本体２０は、車両の内装部材に取付けられる。
カップホルダ本体２０は、ボックス２１と、ホルダ２２と、パネル２３と、を備える。
ボックス２１に収容部２１ａがある。
ホルダ２２は、ボックス２１に着脱可能に取付けられる。ホルダ２２は、ボックス２１に設けられる突起２１ｂをホルダ２２に設けられる溝２２ａにはめ込むことにより、ボックス２１に取付けられる。
パネル２３は、ホルダ２２に取付けられる。パネル２３は、ホルダ２２に設けられる突起２２ｂをパネル２３に設けられる穴２３ａに係合させることにより、ホルダ２２に取付けられる。
【０００９】
サポート３０は、たとえば樹脂製である。サポート３０は、図５に示すように、カップホルダ本体２０に、容器Ｃを出し入れする方向に回動可能に取付けられる。サポート３０は、サポート３０の回動軸部３１をカップホルダ本体２０に設けられる図示略の軸受けに入れることで、カップホルダ本体２０に回動可能に取付けられる。
サポート３０は、突出位置３０ａと押し下げ位置３０ｂとにカップホルダ本体２０に対して回動可能とされている。ここで、突出位置３０ａは、収容部２１ａへの容器Ｃの出し入れ方向と直交またはほぼ直交する方向に延び、カップホルダ本体２０の一部と当接する位置をいう。また、押し下げ位置３０ｂとは、収容部２１ａへの容器Ｃの出し入れ方向と平行またはほぼ平行な方向で、収容部２１ａの底面２１ｃ側に向って延びる姿勢をとる位置をいう。
【００１０】
アーム４０は、たとえば樹脂製である。アーム４０は、図３に示すように、カップホルダ本体２０またはカム部材５０に、容器Ｃを出し入れする方向と直交（ほぼ直交を含む）する方向に回動可能に取付けられる（図示例では、アーム４０がカップホルダ本体２０に取付けられる場合を示している）。以下、本発明実施例では、アーム４０がカップホルダ本体２０に取付けられる場合を説明する。
アーム４０は、軸部４１を有する。アーム４０は、軸部４１をホルダ２２にビス４２にて回動可能に取付けることで、カップホルダ本体２０に回動可能に取付けられる。
【００１１】
カム部材５０は、たとえば樹脂製である。カム部材５０は、カップホルダ本体２０に対して、容器Ｃを出し入れする方向と直交（ほぼ直交を含む）する方向に回動可能とされている。カム部材５０は、アーム４０の軸部４１が挿通する挿通穴５１を備えている。カム部材５０は、軸部４１が挿通穴５１を挿通してビス４２にてホルダ２２に取付けられることにより、カップホルダ本体２０に対して回動可能とされている。カム部材５０の回動軸芯は、アーム４０の回動軸芯と一致している。
カム部材５０は、図４に示すように、サポート３０の移動軌跡内に出入り可能な延び部５２を備えている。カム部材５０は、サポート３０と接触してサポート３０の動きをアーム４０に伝達する。カム部材５０は、図５に示すように、サポート３０が突出位置３０ａと押し下げ位置３０ｂとの間の途中位置３０ｃから押し下げ位置３０ｂ側にあるときのみサポート３０と接触して、サポート３０の動きをアーム４０に伝達する。
【００１２】
サポート付勢スプリング６０は、たとえばトーションスプリングからなる。サポート付勢スプリング６０の一端は、サポート３０に当てられており、サポート付勢スプリング６０の他端は、カップホルダ本体２０に当てられている。サポート付勢スプリング６０は、サポート３０を、カップホルダ本体２０に対して押し下げ位置３０ｂから突出位置３０ａ側に回動付勢する。
【００１３】
アーム付勢スプリング７０は、たとえばトーションスプリングからなる。アーム付勢スプリング７０の一端は、アーム４０に当てられており、アーム付勢スプリング７０の他端は、カム部材５０に当てられている。アーム付勢スプリング７０は、図４に示すように、アーム４０を、カム部材５０に対して収容部２１ａ内に入り込む方向（アーム４０を閉じる方向）に、アーム４０の一部がカム部材５０の一部に当接するまで回動付勢する。
【００１４】
カム部材付勢スプリング８０は、たとえばトーションスプリングからなる。カム部材付勢スプリング８０の一端は、カム部材５０に当てられており、カム部材付勢スプリング８０の他端は、カップホルダ本体２０に当てられている。カム部材付勢スプリング８０は、延び部５２がサポート３０の移動軌跡内に入り込む方向（アーム４０が収容部２１ａから出る方向、アーム４０が開く方向）に、カム部材５０の一部がカップホルダ本体２０の一部に当接するまで回動付勢する。
【００１５】
ここで、本発明実施例の作動を説明する。
（ａ）収容部２１ａに容器Ｃが収容されていないとき
サポート３０は突出位置にある。カム部材５０の延び部５２はサポート３０の回動軌跡内にある。アーム４０は、開いている。
（ｂ）収容部２１ａに容器Ｃを収容するとき
（ｂ−１）  収容部２１ａに容器Ｃを収容するとき、図５に示すように、突出位置３０ａにあるサポート３０が容器Ｃによって押し下げ位置３０ｂ側にサポート付勢スプリング６０の付勢力に抗して押し下げられる。アーム４０とカム部材５０は、サポート３０がカム部材５０の延び部５２に当るまでは、動かない。
（ｂ−２）  サポート３０が容器Ｃによって途中位置３０ｃまで押し下げられてカム部材５０の延び部５２に当ると、図４に示すように、延び部５２がサポート３０によってサポート３０の回動軌跡から出る方向に押され、カム部材５０がカム部材付勢スプリング８０の付勢力に抗して回動する。アーム４０は、アーム付勢スプリング７０によりカム部材５０に対して収容部２１ａに入り込む方向に回動付勢されているため、カム部材５０とともに回動し、収容部２１ａ内に入り込んでくる。
（ｂ−３）  アーム４０が容器Ｃの側面に当るまで収容部２１ａに容器Ｃを収容した後、さらに容器Ｃを収容していくと、サポート３０は容器Ｃにより押し下げられカム部材５０はサポート３０によって押されて回動する。しかし、アーム４０は、それ以上収容部２１ａ内に入り込むことができず、アーム付勢スプリング７０の付勢力に抗して容器Ｃの側面に密着し続ける。
【００１６】
本発明実施例の作用、効果を説明する。
サポート３０の動きをアーム４０に伝達するカム部材５０を有するので、サポート３０が容器Ｃにより押されたときにアーム４０を収容部２１ａ内に入り込ませアーム４０で容器Ｃの側面を保持することができる。そのため、アーム４０を容器Ｃや手で押し広げて容器Ｃを収容部２１ａに入れる必要はなく、操作性がよい。また、容器Ｃを収容部２１ａに入れた後にアーム４０を手で閉じる作業が不要であり、操作性がよい。
【００１７】
サポート付勢スプリング６０を有するので、収容部２１ａに容器Ｃが収容されていないときにサポート３０を収容部２１ａ内に突出させることができる。そのため、収容部２１ａに収容する容器Ｃで確実にサポート３０を押すことができる。
また、アーム付勢スプリング７０を有するので、収容部２１ａに収容された容器Ｃの側面をアーム付勢スプリング７０の付勢力で保持することができる。そのため、３、４段階に可動するアームで容器を保持する場合（従来（ｂ）のカップホルダ）に比べて、様々な径の容器にアームを密着させることができる。
また、カム部材付勢スプリング８０を有するので、サポート３０が容器Ｃによって押されていないとき、カム部材５０をサポート３０の移動軌跡内に位置させることができる。
【００１８】
カム部材５０が、サポート３０が途中位置３０ｃから押し下げ位置３０ｂ側にあるときのみサポート３０の動きをアーム４０に伝達する。そのため、カム部材５０は、突出位置３０ａにあるサポート３０が途中位置３０ｃに押し下げられるまでは、サポート３０の動きをアーム４０に伝達しない。そのため、容器Ｃを収容部２１ａに収容するときに容器Ｃがアーム４０部位を通過してからアーム４０を収納部２１ａ内に入り込ませることができる。
【図面の簡単な説明】
【００１９】
【図１】本発明実施例の車両用カップホルダの斜視図である。
【図２】本発明実施例の車両用カップホルダの分解斜視図である。
【図３】図１のＡ−Ａ線断面図である。
【図４】本発明実施例の車両用カップホルダの透視平面図である。
【図５】本発明実施例の車両用カップホルダの断面図である。
【符号の説明】
【００２０】
１０  車両用カップホルダ
２０  カップホルダ本体
２１  ボックス
２１ａ  収容部
２２  ホルダ
２３  パネル
３０  サポート
３０ａ  突出位置
３０ｂ  押し下げ位置
３０ｃ  途中位置
４０  アーム
５０  カム部材
５２  延び部
６０  サポート付勢スプリング
７０  アーム付勢スプリング
８０  カム部材付勢スプリング
Ｃ  容器
【図１】
2006298287.tif 000003
【図２】
2006298287.tif 000004
【図３】
2006298287.tif 000005
【図４】
2006298287.tif 000006
【図５】
2006298287.tif 000007